(57)【要約】【課題】複数の入力素材の送出手順を示す送出リストの編集操作を簡便にする。【解決手段】キューシート編集画面には、作成中のキューシートとテンプレートＴＰ１〜ＴＰ４が表示される。テンプレートＴＰ１〜ＴＰ４は、例えば、過去のキューシートをもとに抽出される使用頻度の高いイベントの組み合わせが優先的に提示される。編集者は、画面上のテンプレートＴＰ１〜ＴＰ４のいずれかを選択し、挿入位置を指定するだけで、当該テンプレートに含まれるイベントの組み合わせがニュース項目としてキューシートの指定位置に挿入することができるようになる。【選択図】      図２
2007142580.tif 000002
【特許請求の範囲】
【請求項１】
複数のイベントを切り替えてオンエア映像を送出するために、前記複数のイベントの切替手順を表す送出リストを編集する送出リスト編集装置であって、
前記複数のイベントの組み合わせで構成される複数のテンプレートを提示する提示手段と、
前記提示された複数のテンプレートのうちいずれかの選択を受け付ける選択入力手段と、
前記選択されたテンプレートに含まれるイベントの組み合わせを前記送出リストに挿入する挿入手段と
を具備することを特徴とする送出リスト編集装置。
【請求項２】
前記提示手段は、前記複数のテンプレートを分類した複数のカテゴリを提示するカテゴリ提示手段と、前記提示された複数のカテゴリのうちいずれかの選択を受け付けるカテゴリ選択入力手段と、前記選択されたカテゴリに含まれる複数のテンプレートを提示するテンプレート提示手段とを備えることを特徴とする請求項１記載の送出リスト編集装置。
【請求項３】
前記複数のイベントから任意のイベントを選択的に組み合わせて前記テンプレートを作成する作成手段をさらに具備することを特徴とする請求項１記載の送出リスト編集装置。
【請求項４】
前記提示手段は、過去の送出リストをもとに使用される頻度の高いイベントの組み合わせからなるテンプレートを優先的に提示することを特徴とする請求項１記載の送出リスト編集装置。
【請求項５】
前記送出リストのうちテンプレートの削除要求を受けた場合に、当該テンプレートを構成するイベントの組み合わせを前記送出リストから削除する削除手段をさらに具備することを特徴とする請求項１記載の送出リスト編集装置。
【請求項６】
複数のイベントを切り替えてオンエア映像を送出するために、前記複数のイベントの切替手順を表す送出リストを編集する送出リスト編集装置で用いられ、
前記複数のイベントの組み合わせで構成される複数のテンプレートを提示する提示ステップと、
前記提示された複数のテンプレートのうちいずれかの選択を受け付ける選択入力ステップと、
前記選択されたテンプレートに含まれるイベントの組み合わせを前記送出リストに挿入する挿入ステップと
を具備することを特徴とする送出リスト編集方法。
【請求項７】
前記提示ステップは、前記複数のテンプレートを分類した複数のカテゴリを提示するカテゴリ提示ステップと、前記提示された複数のカテゴリのうちいずれかの選択を受け付けるカテゴリ選択入力ステップと、前記選択されたカテゴリに含まれる複数のテンプレートを提示するテンプレート提示ステップとを備えることを特徴とする請求項６記載の送出リスト編集方法。
【発明の詳細な説明】
【技術分野】
【０００１】
この発明は、例えば、ニュース番組等の素材の送出手順を表す送出リストを編集する送出リスト編集装置及び送出リスト編集方法に関する。
【背景技術】
【０００２】
報道やバラエティ等の生番組の素材は、大きく、ライブ素材（スタジオ内のカメラ、他放送局からの中継回線）と、サーバから送出される編集済み素材に分類され、これらの複数の素材が送出リストにしたがって選択出力されることによりオンエア映像が送出される。この送出リストは、例えば、ニュース番組の送出においては、番組毎の送出リスト（キューシート）の雛形をもとに、素材イベントを追加・削除して修正することにより、当日分のキューシートを作成している。しかしながら、ニュース内容は、毎日変化するため、キューシートの編集には多くの修正作業を必要であった。
【０００３】
そこで、各要素の組み立て構成パターンを選択することで番組構成表を作成することができるニュース制作支援システムが提案されている（例えば、特許文献１を参照。）。また、予め予備項目を付加しておくことで、緊急ニュースが発生した場合でも、新たに項目を作成することなく、項目の追加・変更で送出処理を行う手法が提案されている（例えば、特許文献１を参照。）。
【特許文献１】特許第３４６７９９９号公報
【特許文献２】特開平７−１４１４２７号公報
【発明の開示】
【発明が解決しようとする課題】
【０００４】
上記述べたように、毎日変化するキューシートを作成するために、雛形に対し何回もの修正作業が必要であった。特に、ニュース番組の場合は、急な番組変更などが発生する場合があるので、キューシートの編集に要する操作回数は少ない方が望ましい。
【０００５】
この発明は上記事情に着目してなされたもので、その目的とするところは、複数の入力素材の送出手順を示す送出リストの編集操作を簡便にする送出リスト編集装置及び送出リスト編集方法を提供することにある。
【課題を解決するための手段】
【０００６】
上記目的を達成するためにこの発明に係わる送出リスト編集装置及び送出リスト編集方法は、複数の入力素材を切り替えてオンエア映像を送出するために、前記複数の入力素材の送出手順を表す送出リストを編集する送出リスト編集装置であって、前記複数の入力素材の組み合わせにより構成される複数のテンプレートを提示する提示手段と、前記複数のテンプレートのうち選択されたテンプレートを構成する入力素材の組み合わせを前記送出リストに挿入する挿入手段とを具備することを特徴とする。  
上記構成によれば、複数の入力素材の組み合わせにより構成されるテンプレートが提示されるため、編集者は、個々の入力素材を１つ１つ選択することなく、必要なテンプレートを選択して積み上げていくことで簡単に送出リストを編集することが可能となる。
【０００７】
また、前記提示手段は、前記複数のテンプレートを分類した複数のカテゴリを提示するカテゴリ提示手段と、前記提示された複数のカテゴリのうちいずれかの選択を受け付けるカテゴリ選択入力手段と、前記選択されたカテゴリに含まれる複数のテンプレートを提示するテンプレート提示手段とを備えることを特徴とする。  
このように構成すると、上記複数のテンプレートがカテゴリ別に分類されて提示されるため、テンプレートの選択肢を大幅に減らすことができる。これにより、送出リストをさらに効率的に作成することが可能となる。
【０００８】
また、前記複数のイベントから任意のイベントを選択的に組み合わせて前記テンプレートを作成する作成手段をさらに具備するものである。  
これにより、編集者は、任意のイベントを組み合わせて所望のテンプレートを作成することが可能となる。
【０００９】
また、前記提示手段は、操作履歴から使用される頻度の高い入力素材の組み合わせをテンプレートとして提示するようにする。  
このように、高い頻度で利用される入力素材の組み合わせを優先的に予め用意しておくことで、より迅速に送出リストを編集することができる。
【００１０】
さらに、前記送出リストのうちテンプレートの削除要求を受けた場合に、当該テンプレートを構成する入力素材の組み合わせを前記送出リストから削除する削除手段を具備するものである。  
このようにすることで、ニュース項目を削除する場合にも、ニュース項目を削除指定するだけで、当該ニュース項目に含まれるイベントを一度に削除することが可能となる。
【発明の効果】
【００１１】
したがってこの発明によれば、複数の入力素材の送出手順を示す送出リストの編集操作を簡便にする送出リスト編集装置及び送出リスト編集方法を提供することができる。
【発明を実施するための最良の形態】
【００１２】
以下、図面を参照しながら本発明の実施の形態を詳細に説明する。  
（第１の実施形態）  
図１は、この発明の第１の実施形態に係わる送出リスト編集装置を用いた番組送出システムの構成図である。この番組送出システムは、送出コントローラ１１に送出サーバ１２と、映像切替器１３と、編集装置１４と、キューシート記憶部１５とがそれぞれ接続される。送出サーバ１２には、編集済み素材が蓄積され、指定された編集済み素材を選択されたサーバポートからベースバンド出力する。映像切替器１３には、カメラＣ１〜Ｃｎ、中継回線Ｒ１〜Ｒｎ、及びサーバポートＳＶ１〜ＳＶｎから素材が入力され、送出コントローラ１１は、キューシート記憶部１５に記憶されるキューシートに基づいて制御のもと、いずれかを選択してオンエア映像として送出する。
【００１３】
編集装置１４は、キューシートを作成・編集する機能を有し、作成・編集されたキューシートは、キューシート記憶部１５に記憶される。キューシートは、番組送出手順を表したリストであり、放送日及び番組ごとに管理される。本実施形態では、ニュース番組のキューシートを作成する例について説明する。キューシートは、複数のニュース項目により構成される。ニュース項目はイベント（素材情報、すなわちカメラＣ１〜Ｃｎ、中継回線Ｒ１〜Ｒｎ、及びサーバポートＳＶ１〜ＳＶｎ）の組み合わせで構成される。キューシートは、このような階層構造を持つリストである。
【００１４】
ここで、図２に編集装置１４のモニタに表示されるキューシート編集画面の一例を示す。この画面には、作成中のキューシートとテンプレートが表示される。例えば、過去のキューシートをもとに抽出される使用頻度の高いイベントの組み合わせがテンプレートＴＰ１〜ＴＰ４として提示される。
【００１５】
次に、このように構成される編集装置１４の動作について説明する。図３は、編集装置１４におけるニュース項目挿入処理の手順とその内容を示すフローチャートである。  
まず、テンプレートＴＰ１〜ＴＰ４により指定されるニュース送出パターンの選択を受け付ける（ステップＳ３１）。作成中のキューシートにおいて、挿入位置のニュース項目の選択を受け付ける（ステップＳ３２）。次に、上記選択されたニュース項目が最終項目であるか否かを判定する（ステップＳ３３）。この判定により選択されたニュース項目が最終項目である場合には、ステップＳ３５に移行する。一方、上記ステップＳ３３の判定において、選択されたニュース項目が最終項目でない場合には、当該テンプレートに含まれるイベントの数だけ空イベントを挿入する（ステップＳ３４）。
【００１６】
そして、当該テンプレートに含まれるイベントの組み合わせをニュース項目として指定された挿入位置に張り付ける（ステップＳ３５）。さらに、ニュース項目の挿入が終了したか否か判定を行い（ステップＳ３６）、ニュース項目の挿入を継続する場合には、ステップＳ３１に移行し、終了する場合には、上記作成されたキューシートをキューシート記憶部１５に記憶する。
【００１７】
また、図４は、編集装置１４におけるニュース項目削除処理の手順とその内容を示すフローチャートである。  
まず、キューシートにおいて、削除するニュース項目の選択を受け付ける（ステップＳ４１）。そして、選択されたニュース項目分のイベントを削除する（ステップＳ４２）。また、削除されたニュース項目が最終項目であるか否かを判定する（ステップＳ４３）。この判定により、削除されたニュース項目が最終項目である場合は、削除処理を終了する。一方、上記ステップＳ４３の判定により削除されたニュース項目が最終項目でない場合には、削除されたイベントの数の分だけ前に詰めたのち、削除処理を終了する。
【００１８】
このように構成することで、図２に示すように、編集者は、画面上のテンプレートＴＰ１〜ＴＰ４のいずれかを選択し、挿入位置を指定するだけで、当該テンプレートに含まれるイベントの組み合わせがニュース項目としてキューシートの指定位置に挿入することができる。また、削除の場合も、ニュース項目を削除指定することで、当該ニュース項目に含まれるイベントを一度に削除することができる。
【００１９】
したがって、上記第１の実施形態によれば、キューシートの作成に要する操作の回数を減らすことができるため、送出が可能になるまでの時間を減らすことができるようになる。また編集者は、編集作業を行う際に発生する労力が少なくなる。
【００２０】
また、従来のキューシート編集画面では、編集者は、様々なイベント（素材）リソースから、使用するイベント（素材）リソースを選択し追加操作を繰り返し行う事で、ニュース項目を完成させていた。このように作成されるニュース項目は、リソース数がｈ個存在し、イベント数がｎ個存在する場合、組み合わせとしては、ｈ階乗ｎ通り存在する事になるが、実際には運用上、ある特定のパターンに、高い確率で合致する。また、ほとんどの場合、イベントの追加や削除は編集者により試行錯誤しながら作成されるものではなく、事前に想定されている場合がほとんどである。そこで、上記第１の実施形態は、この性質を利用し使用される頻度の高いイベントの組み合わせパターンをテンプレートとして用意し、そのテンプレートを選択操作することで、複数のイベントの追加を一度で行うことができるものである。
【００２１】
（第２の実施形態）  
次に、この発明の第２の実施形態に係わる送出リスト編集装置を用いた番組送出システムについて説明する。本システムの構成は、上記第１の実施形態の番組送出システムと同様であるため、上記図１を用いて説明を行う。
【００２２】
図５は、編集装置１４のモニタに表示されるキューシート編集画面の一例を示す図である。この画面には、作成中のキューシートとカテゴリ別のニュース項目分類ボタンが表示される。ニュース項目分類ボタンは、例えば、一般素材、中継、特集、天気、為替株価などの運用パターン化された項目分類ごとに構成される。高い頻度で運用されるニュース項目は、場面毎に分類され、さらにその中で頻度の高い項目のイベントパターン（イベントの組み合わせ）は、数パターンに絞られる。本実施形態では、キューシート作成における履歴情報をもとにして、各項目分類毎に利用頻度の高いテンプレートを選択肢として提示するようにする。
【００２３】
このように構成される編集装置１４の動作について説明する。図６は、編集装置１４におけるニュース項目分類挿入処理の手順とその内容を示すフローチャートである。  
まず、ニュース項目分類ボタンのうちいずれかの選択操作を受け付けるとともに挿入位置の指定を受け付ける（ステップＳ６１）。次に、上記選択されたニュース項目が最終項目であるか否かを判定する（ステップＳ６２）。この判定により選択されたニュース項目が最終項目である場合には、ステップＳ６４に移行する。一方、上記ステップＳ６２の判定において、選択されたニュース項目が最終項目でない場合には、キューシートに１ニュース項目分の空項目を挿入する（ステップＳ６３）。
【００２４】
そして、上記選択された分類データを指定された挿入位置に張り付ける（ステップＳ６４）。さらに、ニュース項目分類の挿入が終了したか否か判定を行い（ステップＳ６５）、ニュース項目の挿入を継続する場合には、ステップＳ６１に移行し、終了する場合には、後述するニュースイベント展開処理に移行する。
【００２５】
図７は、編集装置１４におけるニュースイベント展開処理の手順とその内容を示すフローチャートである。  
上記図５に示すキューシート編集画面において、ニュース項目行を押下する（ステップＳ）と、ステップＳ７２に移行して、押下されたニュース項目に分類データが挿入されているか否かを判定する（ステップＳ７２）。上記判定により分類データが挿入されていない場合は、処理を終了し、分類データの挿入を促す。
【００２６】
上記ステップＳ７２の判定において、分類データが挿入されている場合には、この項目分類に含まれるテンプレートを表示する（ステップＳ７３）。例えば、ポップアップ画面または再クリックによりテンプレートを選択させるようにする。そして、テンプレートが選択された場合には、ステップＳ７５に移行して、テンプレートに含まれるイベントの数だけ空イベントを挿入し（ステップＳ７５）、当該テンプレートに含まれるイベントの組み合わせを張り付ける（ステップＳ７６）。
【００２７】
また、図８は、編集装置１４におけるニュース項目削除処理の手順とその内容を示すフローチャートである。  
まず、キューシートにおいて、削除するニュース項目の選択を受け付ける（ステップＳ８１）。次に、選択されたニュース項目にテンプレートによるイベントの組み合わせ（イベントパターン）が挿入されているか否かを判定する（ステップＳ８２）。イベントパターンが挿入されていない場合には、ステップＳ８４に移行する。  
ステップＳ８２において、イベントパターンが挿入されている場合には、削除するニュース項目に該当するイベントパターンを削除する。また、削除されたニュース項目が最終項目であるか否かを判定する（ステップＳ８５）。この判定により、削除されたニュース項目が最終項目である場合は、削除処理を終了する。一方、上記ステップＳ８５の判定により削除されたニュース項目が最終項目でない場合には、削除されたイベントの数の分だけ前に詰めたのち、削除処理を終了する。
【００２８】
上記第２の実施形態によれば、編集装置１４のキューシート編集画面には、ニュース項目分類ボタンが表示され、このボタンを選択すると、該当するニュース項目分類において使用頻度の高いテンプレート（イベントの組み合わせ）が提示される。このように、複数のテンプレートがカテゴリ（ニュース項目分類）別に分類されて提示されるため、テンプレートの選択肢を大幅に減らすことができる。これにより、送出リストをさらに効率的に作成することが可能となる。
【００２９】
なお、この発明は、上記各実施形態に限定されるものではない。例えば、上記第１の実施形態において、さらに、複数のイベントから任意のイベントを選択的に組み合わせてテンプレートを作成する機能を備えるにするとよい。これにより、編集者は、任意のイベントを組み合わせて所望のテンプレートを作成することが可能となる。その他にも、編集装置１４の構成及びモニタに表示される編集画面の構成、キューシート作成における各手順とその内容についても、この発明を逸脱しない範囲で種々に変形して実施できる。
【００３０】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３１】
【図１】この発明の第１の実施形態に係わる送出リスト編集装置を用いた番組送出システムを示す構成図。
【図２】図１に示す編集装置に表示されるキューシート編集画面の一例を示す図。
【図３】図１に示す編集装置におけるニュース項目挿入処理の手順とその内容を示すフローチャート。
【図４】図１に示す編集装置におけるニュース項目削除処理の手順とその内容を示すフローチャート。
【図５】この発明の第２の実施形態に係わる送出リスト編集装置に表示されるキューシート編集画面の一例を示す図。
【図６】第２の実施形態の送出リスト編集装置におけるニュース項目分類挿入処理の手順とその内容を示すフローチャート。
【図７】第２の実施形態の送出リスト編集装置におけるニュースイベント展開処理の手順とその内容を示すフローチャート。
【図８】第２の実施形態の送出リスト編集装置におけるニュース項目削除処理の手順とその内容を示すフローチャート。
【符号の説明】
【００３２】
１１…送出コントローラ、１２…送出サーバ、１３…映像切替器、１４…編集装置、１５…キューシート記憶部、ＴＰ１〜ＴＰ４…テンプレート。
【図１】
2007142580.tif 000003
【図２】
2007142580.tif 000004
【図３】
2007142580.tif 000005
【図４】
2007142580.tif 000006
【図５】
2007142580.tif 000007
【図６】
2007142580.tif 000008
【図７】
2007142580.tif 000009
【図８】
2007142580.tif 000010